(57)【要約】  本発明は、ガスタービン（１）のリング（５）を支持するデバイスにして、リング（５）は、上流から下流へ流れるガス流（Ｇ）によって駆動されるタービン（１）の動翼（３）を取り囲むのに適した、デバイスに関する。このデバイスは、下流方向に向かって開いたリング（５）の上流溝（８）内に収容されるべき、上流に向いた少なくとも１つの上流フック（１２）と、上流方向に向かって開いたリング（５）の下流溝（１０）内に収容されるべき、下流に向いた少なくとも１つの下流フック（１３）とを備える。このようにしてフック（１２、１３）は保護され、翼（３）の先端部のところの間隙がより容易に制御される。デバイスは、上流フック（１２）の上流に、上流フック（１２）を冷却する冷却ガスを注入する手段（１６）を、かつ／または下流フック（１３）の下流に、下流フック（１３）を冷却する冷却ガスを注入する手段（１７、１８）を備える。
2013504003.tif 000002
【特許請求の範囲】
【請求項１】
ガスタービン（１）のリング（５）用の支持デバイスにして、リング（５）が、上流から下流に流れるガス流（Ｇ）によって駆動されるタービン（１）の動翼（３）を格納することを目的とする、デバイスであって、溝が下流方向に開いたリング（５）の上流溝（８）内に収容されるように意図された上流に向いた少なくとも１つの上流フック（１２）と、溝が上流方向に開いたリング（５）の下流溝（１０）内に収容されるように意図された下流に向いた少なくとも１つの下流フック（１３）とを備え、上流フック（１２）の上流に、上流フック（１２）を冷却する冷却ガスを注入する手段（１６）を備え、かつ／または下流フック（１３）の下流に、下流フック（１３）を冷却する冷却ガスを注入する手段（１７、１８）を備える、デバイス。
【請求項２】
上流フック（１２）と下流フック（１３）の間に加圧空洞（Ｃ）が形成され、加圧空洞（Ｃ）には冷却ガスが供給される、請求項１に記載のデバイス。
【請求項３】
リング（５）の上流溝（８）が上流フック（１２）と接触する曲面（８’）を有し、かつ／またはリング（５）の下流溝（１０）が下流フック（１３）と接触する曲面（１０’）を有する、請求項１および２の一項に記載のデバイス。
【請求項４】
リング（５）と上流フック（１２）の間のガス密閉性を保証するように構成され、リング（５）の上流溝（８）内に収容される少なくとも１つの上流封止部（２１）を備え、かつ／またはリング（５）と下流フック（１３）の間のガス密閉性を保証するように構成され、リング（５）の下流溝（１０）内に収容される少なくとも１つの下流封止部（２２）を備える、請求項１から３の一項に記載のデバイス。
【請求項５】
上流フック（１２）を備える上流支持部分（１４）と下流フック（１３）を備える下流支持部分（１５）とを備え、上流支持部分（１４）と下流支持部分（１５）が一部片であり、リング（５）が少なくとも２つのリングセクター（５）にセクター化される、請求項１から４の一項に記載のデバイス。
【請求項６】
上流支持部分（１４）と下流支持部分（１５）が、支持部分（１４、１５）同士を互いに滑動させ、収縮嵌めすることによってリング（５）が取り付けられるように構成される、請求項５に記載のデバイス。
【請求項７】
上流フック（１２）を備える上流支持部分（１４）と下流フック（１３）を備える下流支持部分（１５）とを備え、リング（５）が一部片であり、下流支持部分（１５）が一部片であり、上流支持部分（１４）が少なくとも２つの上流支持部分（１４）セクターにセクター化される、請求項１から６の一項に記載のデバイス。
【請求項８】
請求項１から７の一項のデバイスに従った支持デバイスを備えるタービン。
【請求項９】
請求項８のタービンに従ったタービンを備えるターボシャフトエンジン。
【発明の詳細な説明】
【技術分野】
【０００１】
本発明はガスタービンの分野、より具体的にはタービンリングおよびそれらの支持デバイスに関する。
【背景技術】
【０００２】
飛行機またはヘリコプタなどの航空機用のターボシャフトエンジンは一般的に、ガス流の方向に上流から下流に、ファンと、１つまたは複数の圧縮機段、例えば低圧圧縮機および高圧圧縮機と、燃焼室と、１つまたは複数のタービン段、例えば高圧タービンおよび低圧タービンと、排気ノズルとを備える。圧縮機ごとに１つのタービンが対応する場合があり、２つはシャフトによって接続されて、例えば高圧スプールおよび低圧スプールを形成する。異なった構成では、ターボシャフトエンジンは、圧縮機に接続された第１のタービンと、例えばヘリコプタのロータなどを駆動するシャフトに接続される第２の「自由」タービンとを備える場合がある（したがって、圧縮機に接続された第１タービンは一般的に高圧タービンに指定される）。
【０００３】
以下では、「高圧」という用語は「ＨＰ」という頭字語によって、「低圧」という用語は「ＢＰ」という頭字語によって表わされる。
【０００４】
ＨＰタービンは燃焼室の出口に位置付けられる。これは１つまたは複数の段の翼を備え、各段は一般的に、知られている方法で、ＨＰタービンノズルとして知られる静翼車と動翼車とを備える。動翼車は、燃焼室から出るガス流によってターボシャフトエンジンの軸線を中心に回転駆動され、回転のためにターボシャフトエンジンのＨＰシャフトと一体である。それ自体はＨＰ圧縮機の動翼車と一体である。ＨＰタービンの動翼車の位置のガスストリームの外部はリングの形態のケーシングによって画定される。ケーシングは動翼の周囲に延在し、従来から「タービンリング」という用語によって表わされている。このリングは一部片である場合も、リングセクターにセクター化される場合もある。以下では特に規定がなされない限り、「リング」という用語はこれら２つの可能性の両方、即ち一部片のリングまたはリングセクターにセクター化されたリングのいずれかをも意味する。リングは、リング支持体として知られる部品によって支持され、ターボシャフトエンジンの静止構造部に接続される。
【０００５】
動翼が回転することを可能にするために、動翼の半径方向端部と静止タービンリングとの間に間隙が設けられる。前記間隙は翼の半径方向端部と対向して延在する。この間隙が大きい程、ＨＰタービン、したがってターボシャフトエンジンの効率が低下する。これは、燃焼室から出るガス流の一部がこの間隙内へと流れて、タービンの動翼車の回転駆動に寄与しないことによる。
【０００６】
ＨＰタービンの区域は、とりわけその位置が燃焼室下流にあることから、大きな熱的ストレスに晒される。この区域の部品は、別個の少なくとも４つの熱的ストレスに晒される：
圧縮機に由来する冷却ガス流の熱対流、
ガスストリームからの、互いに接触し合う部分を通る、熱の移動から生じる熱伝導、
ターボシャフトエンジンの高温部分、特に燃焼室とＨＰタービンの位置のガスストリームとに由来する熱放射、および
ガスストリームのガス流からの大きな熱対流。これは、ガス流の一部がガスストリームから逃げ、タービンリングとリングの外側のその支持部分との間の接合部の位置で進入する際に悪化する場合がある（したがってこれは、ガスストリームの「再取り込み」または迂回として知られ、タービンリングに対して熱的崩壊とともにエンジン効率の損失をも引き起こされ、これは主ガスストリームからのガスの一部がその正常なコースを辿るのではなく、迂回路を経て通過することによる）。
【０００７】
これらの様々な熱的ストレスは、異なったレベルの膨張（関係する様々な部分間の）と静止部分内の温度勾配とをもたらし、それらは管理するのが困難である。とりわけ、ガスストリームの外側のガスの再取り込みによる熱対流に関連付けられる作用は、モデル化するのに複雑である。燃料消費量を軽減するという目的に関連付けられるエンジン出力の開発が、今日のターボシャフトエンジンの燃焼室から出るガスの温度の上昇をもたらすこと考えると、この現象は一層顕著となる。
【０００８】
翼先端部とタービンリングの間隙を制御するために様々な手段が提案されている。例えば欧州特許第１，４７５，５１６号明細書は、特定の弾性を有する構造ケーシング（リング支持部分が取り付けられる）を提案している。したがってその形状は、異なったエンジンの動作モードでそれが受ける圧力に依存し、そのようにして翼先端部の位置の間隙の調整を可能にする。
【先行技術文献】
【特許文献】
【０００９】
【特許文献１】欧州特許第１，４７５，５１６号明細書
【発明の概要】
【発明が解決しようとする課題】
【００１０】
本発明の目的は、ガスストリームの特徴の安定性を長期間にわたって保証するために、タービン翼先端部のところの間隙のより充分な制御と、部品の経年耐久性の向上とを可能にするタービンリング用支持デバイスを提案することである。
【課題を解決するための手段】
【００１１】
上記の目的のために、本発明は、ガスタービンのリング用の支持デバイスにして、リングは、上流から下流に流れるガス流によって駆動されるタービンの動翼を格納することを目的とする、デバイスであって、溝が下流方向に開いたリングの上流溝内に収容されるように意図された上流に向いた少なくとも１つの上流フックと、溝が上流方向に開いたリングの下流溝内に収容されるように意図された下流に向いた少なくとも１つの下流フックとを備え、上流フックの上流に、上流フックを冷却する冷却ガスを注入する手段（例えばオリフィス）を備え、かつ／または下流フックの下流に、下流フックを冷却する冷却ガスを注入する手段（例えばオリフィス）を備えるデバイスに関する。
【００１２】
本発明によって、支持デバイスのフックはそれぞれリングの溝内に収容され、したがってリング自体によってガス流から保護され、そのようにしてタービンの動作モードに関わらずにそれらが一定の形状を保持することを保証する。これは、発生する温度変化がそれらに対して小さな影響しか有さないことによる。このような方法でフックの完全性を保証することは、変化および完全性が長期間にわたってより良好に管理されることから、翼先端部とリングの間の間隙の制御をし易くし、したがって向上させる。冷却ガスを注入する手段は、上流フックおよび／または下流フックの耐熱完全性をより良好に保証し、そのようにしてさらに、過渡的な熱的動作モードの最適化を可能にする。
【００１３】
有利な実施形態によると、冷却ガスは、タービンの動翼の上流側のガス流のガス圧力以上の圧力にある。このようにして、冷却ガスは、リングの上流側を経るガス流からのガス再取り込みの可能性に対してバリアとしての働きもする。
【００１４】
有利な一実施形態によると、冷却ガスは、タービンの動翼の下流側のガス流のガス圧力以上の圧力にある。このようにして、冷却ガスは、リングの下流側を経るガス流からのガス再取り込みの可能性に対してバリアとしての働きもする。
【００１５】
有利な一実施形態によると、デバイスは、２つのフックの間に、冷却ガスが供給される加圧空洞を形成するように構成される。したがって、空洞がフックをタービンのガス流から保護すると考えると、これらのフックはより充分に保護される。とりわけ、加圧空洞の圧力は、タービンの動翼の上流側のガス流の圧力以上であり、そのようにしてガス流に由来するガスの再取り込みを回避する。このような加圧空洞の形成はリングの特有の形状によって可能になる。これは、以下に明記されるものなどの可能な密閉手段の存在によって向上される。
【００１６】
有利な一実施形態によると、リングの上流溝は上流フックと接触する曲面を有する（ターボシャフトエンジンの軸線であるリングの軸線に対して軸方向断面で）。
【００１７】
有利な一実施形態によると、リングの下流溝は下流フックと接触する曲面を有する（ターボシャフトエンジンの軸線であるリングの軸線に対して軸方向断面で）。
【００１８】
有利な一実施形態によると、デバイスは、リングと上流フックの間のガス密閉性を保証するように構成された、リングの上流溝内に収容される少なくとも１つの上流封止部を備える。このような封止部はデバイスのガス密閉性を向上させることを可能にする。このことは、加圧空洞が上流フックと下流フックの間に形成される場合に、かつ／または上流の冷却ガスが、上流フックの上流のタービンのガス流のガスに対するバリアを形成するように意図されている場合にとりわけ有利である。このような封止部はさらに、リングを軸方向位置および半径方向位置に維持するのに寄与することができる。
【００１９】
有利な一実施形態によると、デバイスは、リングと下流フックの間のガス密閉性を保証するように構成された、リングの下流溝内に収容される少なくとも１つの下流封止部を備える。このような下流封止部は上流封止部と同じ利点を下流側に提供する。
【００２０】
好ましい実施形態によると、上流封止部および／または下流封止部は耐火性材料の編組状封止部のタイプの封止部である。このような封止部はガス密閉性をさらに向上させるとともに、有利にリングを軸方向位置および半径方向位置に維持するのに寄与する。
【００２１】
有利な一実施形態によると、デバイスは、リングの上流側に、動翼の上流に延在するタービンの分配ケーシングの外側で流れるガスに対してガス密閉性である周囲封止部を備える。
【００２２】
有利な一実施形態によると、デバイスは、上流フックを備える上流支持部分と、上流支持部分とは別個の、下流フックを備える下流支持部分とを備える。
【００２３】
特定の一実施形態によると、この場合、上流支持部分と下流支持部分は一部片であり、環状であり、リングは少なくとも２つのリングセクターにセクター化される。
【００２４】
この場合、上流支持部分と下流支持部分は、支持部分同士を互いに滑動させ、収縮嵌めすることによってリングが取り付けられるように構成されることが好ましい。これはリングの軸方向および半径方向の位置決めを保証する。この取り付けは、上述のものなどの上流封止部と下流封止部の存在によって容易にされる。前記封止部は、リングをその支持部分上で半径方向位置および軸方向位置で維持することに寄与することが可能である。
【００２５】
少なくとも１つの封止ワッシャが、連続した２つのリングセクターに接触した表面同士の界面で、この目的のために設けられた溝内に、配置される。特定の一実施形態によると、このワッシャは、冷却ガスが、フック同士の間に形成された加圧空洞からガス流に向かって逃げることを可能にするように構成される。このような逃げは、ガスが反対方向に循環すること（即ちタービンのガス流の外側へのガスの逃げ）を防止し、冷却ガスのパージングを可能にする。
【００２６】
他の特定の実施形態によると、リングは一部片、環状であり、下流支持部分は一部片、環状であり、上流支持部分は少なくとも２つの支持部分セクターにセクター化される。
【００２７】
特定の一実施形態によると、この場合、下流フックの最小半径は上流フックの最小半径よりも大きい。このような径の差は、それらの間に異なった要素を取り付けることをし易くする。
【００２８】
本発明はさらに、上流から下流に流れるガス流によって駆動されるタービンの動翼を格納することを目的としたガスタービンリングであって、上述の支持デバイスによって支持されるように意図され、上流に向いた、支持デバイスの少なくとも１つの上流フックを受け取るための下流方向に開いた上流溝と、下流に向いた、支持デバイスの少なくとも１つの下流フックを受け取るための上流方向に開いた下流溝とを備える、リングに関する。
【００２９】
本発明は、上述の支持デバイスを備えるタービンにも関する。
【００３０】
本発明は、そのようなタービンを備えるターボシャフトエンジン（またはターボジェットエンジン）にも関する。
【００３１】
本発明は、本発明の好ましい実施形態についての以下の説明を添付図面参照の上読めば、より充分に理解されるであろう。
【図面の簡単な説明】
【００３２】
【図１】本発明の第１の好ましい実施形態によるタービンリングおよびその支持デバイスの軸方向断面摸式図である。
【図２】冷却ガス流を示す、図１のリングおよび支持デバイスの詳細摸式図である。
【図３】本発明の第２の好ましい実施形態によるタービンリングおよびその支持デバイスの軸方向断面摸式図である。
【図４ａ】図３のリングおよび支持デバイスの取り付けに伴う一ステップを表わす摸式図である。
【図４ｂ】図３のリングおよび支持デバイスの取り付けに伴う一ステップを表わす摸式図である。
【図４ｃ】図３のリングおよび支持デバイスの取り付けに伴う一ステップを表わす摸式図である。
【発明を実施するための形態】
【００３３】
図１を参照すると、例えば飛行機またはヘリコプタで使用するためのターボシャフトエンジンが、ガスの流れの方向で上流から下流に、ファン、ＢＰ圧縮機、ＨＰ圧縮機、燃焼室、ＨＰタービン１、ＢＰタービン、および排気ノズルを備える。ＢＰタービンはＢＰシャフトによってＢＰ圧縮機に接続されて、ＢＰスプールを形成し、ＨＰタービンはＨＰシャフトによってＨＰ圧縮機に接続されて、ＨＰスプールを形成する。
【００３４】
本発明について、上述のタイプのターボシャフトエンジンのＨＰタービン１に関して、一方の図１および図２、他方の図３から図４ｃのその実施形態を参照して説明がなされる。当然ながら、本発明は、熱的ストレスに晒される任意のタービンに適用され、とりわけ、ＨＰ圧縮機に接続されるＨＰタービンとヘリコプタのロータを駆動するシャフトに接続される自由タービンとを備えるヘリコプタターボシャフトエンジンのタービンに適用される（したがって本発明はＨＰタービンに適用されることが好ましいが、自由タービンにも適用される）。本発明は他のタイプのタービンにも適用されてよい。
【００３５】
ＨＰタービン１は、ＨＰタービンノズルとして知られる静翼車２と、上流方向から下流方向に燃焼室から流れるガス流Ｇによって回転駆動される動翼車３とを備える。動翼車３は、ターボシャフトエンジンの軸線である軸線Ａを中心に回転する。
【００３６】
内側（または内部）と外側（または外部）の概念は、ターボシャフトエンジンの軸線Ａに対して規定される。内側（または内部）に位置付けまたは配向されるということは、ターボシャフトエンジンの軸線Ａに向けて位置付けまたは配向されることを意味すると理解されている。さらに半径方向と長手方向の概念は、ターボシャフトエンジンの軸線Ａに対して規定され、上流と下流の概念はガスの流れの方向に対して規定される。
【００３７】
知られている方法で、ＨＰタービン１の位置のガスストリームは、外側で、タービンノズルの静翼２が固定される環状ケーシング４（従来から当業者によって「外側経線」として知られる）と、ケーシング４の下流に取り付けられ、動翼３を格納するケーシングを形成する、タービンリング５として知られるリング５とによって画定される。
【００３８】
タービンリング５はその周囲全体にわたって環状、即ち３６０°である。図１および図２の実施形態では、これは複数のリングセクター５（当該例では１０個前後のセクター）に切断される。これらのセクター５は端と端を接して並置されて全体リング５を形成する。リングはセクター化リング５として知られる。
【００３９】
図１および図２の実施形態についての説明の残りの部分では、リングセクター５の形状について説明がなされる。リング５は非対称形である（これは回転対称形の要素である）と理解されている。説明を単純化するために、ここではリング５およびリングセクター５の概念は融合されている。言い換えれば、リングの構造について述べられた特色は一部片のリングに、あるいは代替え的に、リングセクターにセクター化されたリングに当てはまる。１つのリングセクターは、セクター化された形において、即ち小さな円周範囲にわたってではあるが、究極的に、全体リングと同じ形状を有するリングの一部位にすぎないと理解されている。
【００４０】
リング５は、ガスストリームの外側の限界を画定する内壁６を備える。翼３の半径方向先端部はこの壁６から距離ｅのところまで延在し、この距離は翼先端部３とリング４の間の間隙ｅに対応する。これを可能な限り最善の度合いに制御し、長期間にわたって管理することが可能であることが望まれる。リング５は、上流溝８を画定する上流ショルダ７と、下流溝１０を画定する下流ショルダ９とをさらに備える。
【００４１】
上流溝８は下流方向に開いている。この目的のために、上流ショルダ７は、リング５の内壁６から外側に向かって延在する半径方向壁７ａと、半径方向壁７ａの外端部から下流方向に延在する（当該例ではそれに対して垂直に）長手方向壁７ｂとを備える。
【００４２】
下流溝１０は上流方向に開いている。この目的のために、下流ショルダ９は、リング５の内壁６から外側に向かって延在する半径方向壁９ａと、半径方向壁９ａの外端部から下流方向に延在する（当該例ではそれに対して垂直に）長手方向壁９ｂとを備える。
【００４３】
ターボシャフトエンジンはリング５用の支持デバイス１１を備える。このデバイス１１は、リング５の上流溝８内に収容される、上流方向に向いた上流フック１２と、リング５の下流溝１０内に収容される、下流方向に向いた下流フック１３とを備える。したがってリング５はフック１２、１３によって定位置内に支持および保持される。
【００４４】
より具体的には、フック１２、１３の形状は環状であり、図１および図２の実施形態では、リング５の周囲全体にわたって（即ち全てのリングセクター５の周囲にわたって）一部片を成す。
【００４５】
ここに示された実施形態では、フック１２、１３は非対称形である。代替え方法として、フック１２、１３は透かし目模様（ｏｐｅｎｗｏｒｋ）の構造であってよく、かつ／または円周上に分配された別個の複数のフックを備えてもよい。
【００４６】
上流フック１２は、全体に長手方向円筒形状（ターボシャフトエンジンの軸線Ａに沿って）の上流支持部分１４によって支持される。上流支持部分１４は、ここで示されない方法で（例えば静止構造部上で相補的フランジにねじ込まれる固定フランジなどによって）ターボシャフトエンジンの静止構造部に接続される。フック１２は、上流支持部分１４から内側に向かって延在する半径方向壁１２ａと、上流方向に半径方向壁１２ａの内側端部から延在する（当該例ではそれに対して垂直に）長手方向壁１２ｂとを備える。
【００４７】
下流フック１３は、全体に長手方向円筒形状（ターボシャフトエンジンの軸線Ａに沿って）の下流支持部分１５によって支持される。上流支持部分１５は、ここで示されない方法で（例えば静止構造部上で相補的フランジにねじ込まれる固定フランジによって）ターボシャフトエンジンの静止構造部に接続される。フック１３は、下流支持部分１５から内側に向かって延在する半径方向壁１３ａと、下流方向に半径方向壁１３ａの内側端部から延在する（当該例ではそれに対して垂直に）長手方向壁１３ｂとを備える。
【００４８】
上流フック１２と下流フック１３は、それぞれリング５の上流溝８と下流溝１０に収容されてリング５を定位置内に保持し、そのようにしてリング５自体によって、より具体的にはその内壁６と、ショルダ７、９を形成して溝８、１０をそれぞれ提供する壁（７ａ、７ｂ）（９ａ、９ｂ）とによって熱的に保護される。
【００４９】
図２を参照すると、上流溝８は上流フック１２と接触する表面８’を有する。当該例では、この接触表面８’の軸方向断面の形状は曲線であって、例えば製造許容差になどによって起こり得る取り付け誤差に関係なく、リング５の上流フック１２上での安定した位置決めを可能にする。
【００５０】
下流溝１０は下流フック１３と接触する表面１０’を有する。当該例では、この接触表面１０’の軸方向断面の形状は曲線であって、上流フック１２について以上に説明されたように、リング５の下流フック１３上での安定した位置決めを可能にする。
【００５１】
上流支持部分１４は冷却用オリフィス１６を備える。冷却用オリフィス１６は、冷却ガス（例えば圧縮機から到来する）を上流支持部分１４の外側から上流フック１２に向けて注入して、上流フック１２を冷却することを可能にする（冷却ガスはリング５の上流ショルダ７の冷却も可能にする）。この上流の冷却ガス流は図２の矢印Ｇ１によって表わされる。リング５によって保護される上流フック１２はこのようにして冷却され、これがその熱的安定性をさらに向上させ、支持デバイス１１の非対称形要素の半径方向の動きを制御することを可能にし、このようにして、とりわけリング５も冷却されることから、翼先端部３とリング５の間の間隙ｅの制御をし易くする。
【００５２】
上流支持部分１５は冷却用オリフィス１７を備える。冷却用オリフィス１７は、冷却ガス（例えば圧縮機から到来する）を下流支持部分１５の外側から下流フック１３に向けて注入して、上流フック１３を冷却することを可能にする（冷却ガスはリング５の下流ショルダ９の冷却も可能にする）。この下流の冷却ガス流は図２の矢印Ｇ２によって表わされる。当該例では、上流支持部分１４と下流支持部分１５は冷却オリフィス１７の区域で部分的に重複することから、上流支持部分１４にも下流フック１３からの冷却ガスを通過させるためのオリフィス１８が形成される。リング５によって保護される下流フック１３はこのようにして冷却され、そのことがその熱的安定性をさらに向上させ、支持デバイス１１の非対称形要素の半径方向の動きを制御することを可能にし、このようにして、とりわけリング５も冷却されることから、翼先端部３とリング５の間の間隙ｅの制御をし易くする。
【００５３】
上流フック１２と下流フック１３の同時冷却はとりわけ有利である。したがってリング５は、それによって保護されさらに冷却される手段１２、１３によって支持されることができる。即ち、例えば動作モードの変化などに関連付けられる熱変動に関わらずに極めて良好な構造的安定性を呈示する。
【００５４】
当該例では、上流フック１２と下流フック１３の半径方向壁１２ａ、１３ａはさらに、上流支持部分１４の長手方向壁の一部位とリング５の長手方向壁６の一部位とともに、加圧された格納空間Ｃを形成するように構成される。図２でより具体的に注目されるが、フック１２、１３の半径方向壁１２ａ、１３ａはそれぞれ、それらの内端部で、リング５の長手方向壁６と接触するリップ１２ａ’、１３ａ’分だけ延長される。接触リップ１２ａ’、１３ａ’は透かし目模様の半径方向壁である。
【００５５】
加圧空洞Ｃには、冷却オリフィス１９の位置で注入される冷却ガスが供給される。図２で、この冷却ガスは矢印Ｇ３によって表わされる。冷却ガスはフック１２、１３ならびにリング５、とりわけその長手方向壁６を冷却する。
【００５６】
当該例では、上流支持部分１４の外側で、加圧空洞Ｃの位置に、環状の穿孔シート２０が取り付けられる。これは、ガス衝突（矢印Ｇ４によって表わされる）によって上流支持部分１４を冷却し、加圧空洞Ｃに供給する冷却ガス流の速度Ｇ３を調節するためのものである。このシート２０によってもたらされるガス衝突は、上流の冷却ガス流Ｇ１と下流の冷却ガス流Ｇ２と組み合わされて、支持デバイス１１の非対称形要素の半径方向の動きを熱力学的に制御することを可能にし、そのようにして翼先端部３とリング５の間の間隙ｅを最適化することを可能にする。
【００５７】
上流フック１２の上流端部とリング５の上流溝８の表面との間で、前記溝の内側に、上流Ｏ−リング封止部２１が取り付けられる。前記封止部は、上流接触リップ１２ａ’、リング５の長手方向壁６、および上流フック１２と一緒に空洞Ｃ１を形成する。前記封止部２１は、加圧空洞Ｃの上流側の密閉性を向上させる（空洞Ｃ１は、上流接触リップ１２ａ’の孔を介して加圧空洞Ｃと連通する）。
【００５８】
下流フック１３の下流端部とリング５の下流溝１０の表面との間で、前記溝の内側に、下流Ｏ−リング封止部２２が取り付けられる。前記封止部は、下流接触リップ１３ａ’、リング５の長手方向壁６、および下流フック１３と一緒に空洞Ｃ２を形成する。前記封止部２２は、加圧空洞Ｃの下流側の密閉性を向上させる（空洞Ｃ２は、下流接触リップ１３ａ’の孔を介して加圧空洞Ｃと連通する）。
【００５９】
当該例では、Ｏ−リング封止部２１、２２は「編組状封止部」として知られるタイプである。即ちこれらはそれぞれ、一緒に編み組みされた複数のストランドから形成され、当該例では、ストランドは、リング５が受ける高温度において機械的特徴を保持する耐火性材料で形成される。ここで説明される実施形態では、各封止部２１、２２はリングセクター５と同じようにセクター化される。代替え方法として、各封止部２１、２２は、異なるリングセクター５の間でリング５の円周全体にわたって延在してよい。
【００６０】
リング５用の支持デバイス１１は、上流支持部分１４の上流フランジ２４によって支持される（金属）「セグメント封止部」タイプの封止部２３を追加的に備える。セグメント封止部２３は分配機の環状ケーシング４の外側表面と接触し、この位置でのガス密閉性を保証する。
【００６１】
リング５およびその支持デバイス１１の様々な要素、とりわけ冷却オリフィス１６、１７、１８、１９は、冷却ガスＧ１、Ｇ２、Ｇ３もタービン１のガス流Ｇのガスに対して（圧力）バリアの役割を果たすように構成されて、これらのガスの迂回を防止する。これらのガスの迂回とは、即ちガス流Ｇのガスのリング５の外側を経た循環であり、言い換えればガス流Ｇのガスの再取り込みである。これが起こればターボシャフトエンジンの効率、また支持デバイス１１の静止部分の完全性に対しても極めて有害となる。
【００６２】
この目的のためにリング５およびその支持デバイス１１は、上流フック１２の上流のガス圧力、より具体的には、セグメント封止部２３の支持フランジ２４と上流フック１２との間に画定される空洞Ｃ３内のガスの圧力が、タービン翼３の上流のガス流Ｇのガス圧力よりも大きくなるように構成される。これは例えば、タービン翼３の上流のガス流Ｇのガス圧力が５バールに相当するとき、６バールに相当してよい。このように、冷却ガスＧ１は、反対方向に逃げるよりはむしろ、分配機の環状ケーシング４とリング５との間の間隙Ｊを介して空洞Ｃ３からガスストリームへ逃げる傾向がある。このようにフック１２、１３は上流のガス再取り込みから保護される。これは、結果として生じる熱対流にフックが晒されることを防止し、そのようにして、膨張の程度の差があまり顕著ではないことから、翼先端部３のところの間隙７の制御をし易くする。
【００６３】
セグメント封止部２３の位置で逃げがあった場合にガスの逆流を防止するために、セグメント封止部２３の上流のガス圧力も、タービン翼３の上流のガス流Ｇのガス圧力よりも大きいことに注目されたい。さらに、僅かな量の逃しが意図的にもたらされて、リングのフック１２、１３を、セグメント封止部２３の上流側から到来する冷却ガス流によってさらによく保護する。
【００６４】
さらに、リング５およびその支持デバイス１１は、下流フック１３の下流に位置付けられた空洞Ｃ４内に位置付けられたガスの圧力が、タービン翼３の下流のガス流Ｇのガス圧力よりも大きくなるように構成される。これは例えば、３バールに相当してよく、それに対してタービン翼３の下流のガス流Ｇのガス圧力は２．５バールに相当する。このように、冷却ガスＧ１は、反対方向に逃げるよりはむしろ、空洞Ｃ３からガスストリームへ（ここに示されない間隙を介して）逃げる傾向がある。このようにフック１２、１３は上流のガス再取り込みから保護される。これは、結果として生じる熱対流にフックが晒されることを防止し、そのようにして、膨張の程度の差があまり顕著ではないことから、翼先端部３のところの間隙７の制御をし易くする。
【００６５】
さらに、リング５およびその支持デバイス１１は、加圧空洞Ｃのガス圧力が、タービン翼３の上流のガス流のガスの圧力以上に（当該例では実質的に等しく）なるように構成されて、上流フック１２の上流の空洞Ｃ３によって形成されるガス流Ｇのガスに対するバリアを補完する。
【００６６】
空洞Ｃ３、Ｃ、およびＣ４は、それらの位置で長手方向に流れるガスストリームのガスの圧力よりも大きな圧力を有することから、これらのガスに対してバリアを形成する。このバリアはフック１２、１３を保護し、したがって翼先端部３のところの間隙ｅを制御するのにとりわけ有利となる。さらに、これらの異なった空洞Ｃ３、Ｃ、Ｃ４に供給される冷却ガスは、フック１２、１３、およびリング５も冷却することを可能にする。
【００６７】
図２で示されるように、知られているように、リングセクター５は、それらの接触し合った端部間の界面に封止ワッシャ２５をさらに備え、前記ワッシャ２５は、例えば、接触し合ったリングセクター５の一方または両方の端部表面上に設けられた切り込み内に延在する。これらのワッシャ２５は、加圧空洞Ｃとタービンのガス流Ｇのガスストリームとの間の最大密閉度を保証するように、またそのようにして加圧空洞Ｃ内のストリームガスの再取り込みを防止するように構成される。当然ながら、密閉性は完全にはなり得ないことから、デバイスは、加圧空洞Ｃから冷却ガスがタービン１のガス流Ｇのガスストリームへと逃げることを許して、これらの冷却ガスのパージングを可能にする。加圧空洞Ｃはタービン翼３に対して垂直に延在し（即ち翼３と同じ長手方向位置で）、その圧力は翼３の上流の圧力と等しいことから、したがって加圧空洞の圧力は翼３の位置の圧力よりも大きい（タービン内で圧力が上流から下流へ低下する）。このようにして、ガスは必然的に加圧空洞Ｃからタービン１のガスストリームに向かって移動し、その反対には移動しない。
【００６８】
その熱的保護を尚さらに向上させるため、フック１２、１３に向かうガス伝導を制限するために、当該例ではリング５は、その長手方向壁６の内側にセラミック材料の被覆部２６が被覆される。
【００６９】
次にリング５をその支持デバイス１１に取り付けについて説明がなされる。前記取り付けは、上流支持部分１４と下流支持部分１５を互いに対して滑動させ、収縮嵌めすることによって達成される。より具体的には、上流支持部分１４は加熱され（例えば１００℃の温度に）、上流フック１２と下流フック１３が互いに接近または実際に互いに接触するように滑動移動される。これは、支持部分１４、１５が入れ子式であって、上流支持部分１４の長手方向壁の半径が下流支持部分１５の長手方向壁の半径よりも僅かに大きいことから可能である。次いでリングセクター５が下流フック１３上に取り付けられる（下流フック１３はリングセクター５の下流溝１０内に収容される）。次いで上流支持部分が上流方向に移動されて、リング５の上流溝８内の上流フック１２と当接する。この位置で、上流フック１２は、その長手方向壁１２ｂの外側の上流角部で上流溝の表面８’と、その長手方向壁１２ｂの内側の上流角部で上流編組み状封止部２１と当接する。さらに、下流フック１３は、その長手方向壁１３ｂの外側の下流角部で下流溝の表面１０’と、その長手方向壁１３の内側の上流角部で下流編組み状封止部２２と当接する。最終段階として、アセンブリは冷えてゆき、これが、上様々な部分同士の締り嵌めをもたらす。これは、既知の一般的な原理の方法で、上流支持部分１４の下流の支持部分１５上での収縮嵌め（冷却時にその長手方向壁の半径が小さくなる）によってなされる。
【００７０】
続いてセグメント封止部２３が、例えば接着などによって取り付けられる。接着手段は作業中に消失する。
【００７１】
リングおよびその支持デバイスの第２実施形態について、図３と図４ａから図４ｃとに関して説明がなされる。この実施形態は既述の実施形態に極めて類似しており、この理由のために、説明を簡単にするため、図１および図２のそれらのタービン要素と同一、均等、または類似の構造または機能を有する図３と図４ａから図４ｃとのそれらのタービン要素に対して、同じ参照記号が使用される。さらに、図１および図２のタービンについての説明は全て繰り返されない。不一致のない限りこの説明は図３と図４ａから図４ｃとのタービンに当てはまる。重要な構造上および機能上の差異のみが説明される。
【００７２】
第２実施形態の主な差異は、リング５が一部片であり、したがって３６０°にわたる単一の非対称形部分を構成する完全なリングを形成する（言い換えればこれはセクター化されていない）。さらに、下流支持部分１５も同様に全周囲（３６０°）にわたって一部片であるが、上流支持部分１４はセクター化される。即ち複数の上流支持部分１４のセクター（当該例では１０個前後のセクター）に切断される。
【００７３】
既述のように、リング５は、リング５の上流溝８と下流溝１０内に収容される上流フック１２と下流フック１３によって支持されて、同じ利点を有する。フック１２、１３、ならびにリング５を冷却するために冷却ガスを注入する手段（図示されない）が設けられる。これは翼先端部のところの間隙ｅを制御する。これらのガスは加圧空洞Ｃ３、Ｃ、Ｃ４に供給される。既述のように、これらの注入手段は、冷却ガスが、タービン１のガス流Ｇのガスに対してバリア機能を果たして、ガスがリング５の外側で循環することを防止することを可能にするように構成される。この目的のために、リング５の外側のガス圧力は、タービン１のガス流Ｇの対応する圧力よりも大きい。
【００７４】
上流溝８と下流溝１０が同じ寸法を有する（それらの長手方向壁７ｂ、９ｂの半径が等しい）図１および図２の実施形態とは異なって、図３の実施形態の上流溝８と下流溝１０は同じ寸法を有さない。下流溝１０を形成する下流ショルダ９の長手方向壁９ｂの半径は、上流溝８を形成する上流ショルダ７の長手方向壁７ｂの半径よりも大きい。リング５の長手方向壁６が、ターボシャフトエンジンの軸線Ａと平行であることから、下流溝１０を形成する下流ショルダ９の半径方向壁９ａの半径寸法は、したがって、上流溝８を形成する上流ショルダ７の半径方向壁７ａの半径寸法よりも大きい。このように、下流フック１３の長手方向壁１３ｂは、ターボシャフトエンジンの軸線Ａから半径距離のところで延在する。これは上流フック１２の長手方向壁１２ｂよりも大きい。（フック１２、１３の長手方向壁１２ｂ、１３ｂは、上流溝８、下流溝１０を形成するショルダ７、９の長手方向壁７ｂ、９ｂに接近したこれらの上流溝８、下流溝１０内に静止する）。これらの半径の差異は、以下に説明されるアセンブリの取り付けを可能にする。
【００７５】
次に、リング５およびその支持デバイス１１の取り付けについて、より具体的に図４ａ、図４ｂ、図４ｃを参照して説明がなされる。図１および図２に関して説明された取り付けとは対照的に、取り付けは、支持部分を互いに滑動させ、収縮嵌めすることによってではなく、支持部分をリングに対して滑動させ、ねじ込むことによって実施される。
【００７６】
図４ａを参照すると、第１ステップで下流支持部分１５にリング５が取り付けられる。これはリング５の、この部分１５に対する、下流から上流への相対的な動きによって行われ（この相対的な動きは矢印Ｆ１によって表わされる）、そのようにして下流フック１３がリング５の下流溝１０内に収容されることを可能にする。
【００７７】
図４ｂを参照すると、第２ステップで上流支持部分１４の第１セクターにリング５が取り付けられる。これは、このセクター１４の、リング１５および下流支持部分によって形成されたアセンブリに対する、外側から内側に向かった、次いで下流から上流への、相対的な動きによって行われ（この相対的な動きは矢印Ｆ２によって表わされる）、そのようにして上流フック１２がリング５の上流溝８内に収容されることを可能にする。
【００７８】
図４ｃを参照すると、第３ステップで、図３に示されないスペーサ２７において、形状が環状であり、上流支持部分１４のセクターに円周方向に対応するスペーサ２７が、上流支持部分１４の下流フランジ１４’と下流支持部分１５の上流フランジ１５’との間に挿入されて、それらの間隔を維持する（スペーサ２７の動きは矢印Ｆ３によって表わされる）。次いで上流支持部分１４と下流支持部分１５は、ネジ２８によって互いにしっかりと固定される（その動きは矢印Ｆ４によって表わされる）。ネジ２８は、支持部分１４、１５のフランジ１４’、  １５’を互いに固定し、かつそれらの間に挿入されたスペーサ２７を固定するために設けられる。
【００７９】
最終的に、他方の上流支持部分１４をリング５の周囲全体にわたって完成させるために、他方の上流支持部分１４セクターに対して第２ステップおよび第３ステップが繰り返される。
【００８０】
本発明のこの実施形態によって、環状で全体に非対称形のフック１２、１３を用いて、一部片のタービンリング５を定位置に保持することがとりわけ可能となる。これは、一部片のリングが、点状または離散的な形で作用を及ぼすアームによって維持される従来技術とは異なる。その結果、一部片のリング５による変形は非対称形であり、したがってより簡単にモデル化できる。
【図１】
2013504003.tif 000003
【図２】
2013504003.tif 000004
【図３】
2013504003.tif 000005
【図４ａ】
2013504003.tif 000006
【図４ｂ】
2013504003.tif 000007
【図４ｃ】
2013504003.tif 000008
【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
ガスタービン（１）のリング（５）用の支持デバイスにして、リング（５）が、上流から下流に流れるガス流（Ｇ）によって駆動されるタービン（１）の動翼（３）を格納することを目的とする、デバイスであって、溝が下流方向に開いたリング（５）の上流溝（８）内に収容されるように意図された上流に向いた少なくとも１つの上流フック（１２）と、溝が上流方向に開いたリング（５）の下流溝（１０）内に収容されるように意図された下流に向いた少なくとも１つの下流フック（１３）と、上流フック（１２）と下流フック（１３）の間に形成された加圧空洞（Ｃ）を備え、加圧空洞（Ｃ）には冷却ガスが供給され、上流フック（１２）の上流に、上流フック（１２）を冷却する冷却ガスを注入する手段（１６）を備え、かつ／または下流フック（１３）の下流に、下流フック（１３）を冷却する冷却ガスを注入する手段（１７、１８）を備え、前記手段が前記加圧空洞を通過することなくこの注入が行われるように構成されることを特徴とする、デバイス。
【請求項２】
請求項１に記載のデバイスとタービンリングにより構成された集合体であって、前記タービンリングが、溝が下流方向に開いた上流溝（８）と、溝が上流方向に開いた下流溝（10）とを備え、リング（５）の上流溝（８）が上流フック（１２）と接触する曲面（８’）を有し、かつ／またはリング（５）の下流溝（１０）が下流フック（１３）と接触する曲面（１０’）を有する、集合体。
【請求項３】
リング（５）と上流フック（１２）の間のガス密閉性を保証するように構成され、リング（５）の上流溝（８）内に収容される少なくとも１つの上流封止部（２１）を備え、かつ／またはリング（５）と下流フック（１３）の間のガス密閉性を保証するように構成され、リング（５）の下流溝（１０）内に収容される少なくとも１つの下流封止部（２２）を備える、請求項２に記載の集合体。
【請求項４】
上流フック（１２）を備える上流支持部分（１４）と下流フック（１３）を備える下流支持部分（１５）とを備え、上流支持部分（１４）と下流支持部分（１５）が一部片であり、リング（５）が少なくとも２つのリングセクター（５）にセクター化される、請求項２から３の一項に記載の集合体。
【請求項５】
上流支持部分（１４）と下流支持部分（１５）が、支持部分（１４、１５）同士を互いに滑動させ、収縮嵌めすることによってリング（５）が取り付けられるように構成される、請求項４に記載の集合体。
【請求項６】
上流フック（１２）を備える上流支持部分（１４）と下流フック（１３）を備える下流支持部分（１５）とを備え、リング（５）が一部片であり、下流支持部分（１５）が一部片であり、上流支持部分（１４）が少なくとも２つの上流支持部分（１４）セクターにセクター化される、請求項２から３の一項に記載の集合体。
【請求項７】
請求項１のデバイスまたは請求項２から６の一項の集合体に従った支持デバイスを備えるタービン。
【請求項８】
請求項７のタービンに従ったタービンを備えるターボシャフトエンジン。
【国際調査報告】
2013504003.tif 000009
2013504003.tif 000010
2013504003.tif 000011
2013504003.tif 000012